(57)【要約】  【課題】  複合機器のモードと同じモードになるようにモードを自動的に切り換えることができるリモコン装置を提供する。  【解決手段】  複合機器１ではモードがＶＣＲ１Ｂ側に設定されており、リモコン装置７ではモードがＤＶＤレコーダ１Ａ側に設定されていたとする。この場合、複合機器１からＶＣＲモード信号を送信する。これにより、リモコン装置７はＶＣＲモード信号を受信し、リモコン装置７で現在設定されているリモコンモードがＤＶＤモードであった場合、マイコン１１はリモコンモードをＶＣＲモードに切り換える。このときマイコン１１はブザー回路１２を駆動させてブザー音を数秒間鳴らす。これにより、リモコン装置７は、モードがＤＶＤモードからＶＣＲモードに切り換えられたことを知ることができ、リモコン装置７は複合機器１のＶＣＲ１Ｂを操作することが可能になる。【選択図】      図１
2005328174.tif 000002
【特許請求の範囲】
【請求項１】
第１の電子機器と第２の電子機器とが複合した複合機器に対して無線信号で操作を行う
ことが可能なリモコン装置において、所定時間おきにモード設定されている側の電子機器
のモード信号を出力するモード信号出力手段と、該モード信号出力手段からのモード信号
をパルス信号に変換し該パルス信号をＦＭで変調してＦＭモード信号として送信するモー
ド信号送信手段とを前記複合機器に設け、該複合機器からのＦＭモード信号を受信してモ
ード信号に変換するモード信号受信手段と、該モード信号受信手段からのモード信号を入
力して該モード信号が示すモードと同じモードに自体のモードを切り換えるモード切換手
段と、該モード切換手段によりモードが切り換えられたとき報知音を発生する報知手段と
を備えたことを特徴とするリモコン装置。
【請求項２】
第１の電子機器と第２の電子機器が複合した複合機器に対して無線信号で操作を行うこ
とが可能なリモコン装置において、前記複合機器においてモード設定されている側の電子
機器に対応し、該複合機器から所定時間おきに送信されたモード信号を受信し、この受信
したモード信号に対応するモードに自体のモードを切り換えることを特徴とするリモコン
装置。
【請求項３】
所定時間おきにモード設定されている側の電子機器のモード信号を出力するモード信号
出力手段と、該モード信号出力手段からのモード信号をパルス信号に変換し該パルス信号
をＦＭで変調してＦＭモード信号として送信するモード信号送信手段とを前記複合機器に
設け、該複合機器からのＦＭモード信号を受信してモード信号に変換するモード信号受信
手段と、該モード信号受信手段からのモード信号を入力して該モード信号が示すモードと
同じモードに自体のモードを切り換えるモード切換手段とを備えたことを特徴とする請求
項２に記載のリモコン装置。
【請求項４】
前記モード切換手段によりモードが切り換えられたとき報知する報知手段を備えたこと
を特徴とする請求項３に記載のリモコン装置。
【請求項５】
前記報知手段は報知音を発生する手段であることを特徴とする請求項４に記載のリモコ
ン装置。
【発明の詳細な説明】
【技術分野】
【０００１】
本発明は、例えばＤＶＤ（デジタル・バーサタイル・ディスク）レコーダとＶＣＲ（ビ
デオ・カセット・レコーダ）などが複合した複合機器に対して無線信号で操作を行うこと
が可能なリモコン装置に関する。
【背景技術】
【０００２】
近年、ＤＶＤなどの光ディスクに対して情報の記録／再生を行うことができるＤＶＤレ
コーダと、ビデオテープに対して情報の記録／再生を行うことができるＶＣＲとを複合し
た複合機器が普及してきている。このような複合機器は、赤外線を出力するリモコン装置
で操作されるが、この場合、複合機器内のＤＶＤレコーダをリモコン装置で操作するには
、複合機器がＤＶＤモードに設定されているのに合わせてリモコン装置をＤＶＤモードに
設定し、また、複合機器内のＶＣＲをリモコン装置で操作するには、複合機器がＶＣＲモ
ードに設定されているのに合わせてリモコン装置をＶＣＲモードに設定して行っている。
【特許文献１】特開平７−１８４２６６号公報
【特許文献２】特開平６−３２７０６４号公報
【発明の開示】
【発明が解決しようとする課題】
【０００３】
即ち、このような複合機器では、ＤＶＤレコーダを使用する場合、モードがＤＶＤモー
ドに設定されており、これに対し、リモコン装置では、モードがＶＣＲモードに設定され
ている場合、リモコン装置のモードをＤＶＤモードに合わせる必要があるので、リモコン
装置において、モードをＶＣＲモードからＤＶＤモードに切り換えるようにしている。ま
た、このような複合機器では、ＶＣＲを使用する場合、モードがＶＣＲモードに設定され
ており、これに対し、リモコン装置では、モードがＤＶＤモードに設定されている場合、
リモコン装置のモードをＶＣＲモードに合わせる必要があるので、リモコン装置において
、モードをＤＶＤモードからＶＣＲモードに切り換えるようにしている。
【０００４】
しかしながら、リモコン装置のモードが複合機器のモードに合っていない場合、ユーザ
は複合機器の現在のモードがＤＶＤモードであるかＶＣＲモードであるかを確認してから
、リモコン装置のモードを複合機器のモードに合わせるため、リモコン装置のモード切換
キーを押下して、モードを切り換えなければならず、したがって、従来のリモコン装置で
は、ユーザにとっては使い勝手が劣るという課題があった。
【０００５】
なお、特許文献１の従来技術は、ガス給湯器等とリモコンとの間で信号を一定周期で間
欠して送受信しているが、第１の電子機器と第２の電子機器が複合した複合機器に対して
操作を行うことが可能なリモコン装置に関するものではない。また、特許文献２の従来技
術は、ＶＴＲの状態に関する全ての情報をＶＴＲからリモコンに一定間隔で送信している
が、この従来技術も、第１の電子機器と第２の電子機器が複合した複合機器に対して操作
を行うことが可能なリモコン装置に関するものではない。
【０００６】
本発明は、上記のような課題を解決するためになされたもので、複合機器のモードと同
じモードになるようにモードを自動的に切り換えることができるリモコン装置を提供する
ことを目的とする。
【課題を解決するための手段】
【０００７】
上記目的を達成するために、請求項１の発明は、第１の電子機器と第２の電子機器が複
合した複合機器に対して無線信号で操作を行うことが可能なリモコン装置において、所定
時間おきにモード設定されている側の電子機器のモード信号を出力するモード信号出力手
段と、該モード信号出力手段からのモード信号をパルス信号に変換し該パルス信号をＦＭ
で変調してＦＭモード信号として送信するモード信号送信手段とを前記複合機器に設け、
該複合機器からのＦＭモード信号を受信してモード信号に変換するモード信号受信手段と
、該モード信号受信手段からのモード信号を入力して該モード信号が示すモードと同じモ
ードに自体のモードを切り換えるモード切換手段と、該モード切換手段によりモードが切
り換えられたとき報知音を発生する報知手段を備えたことを特徴とするリモコン装置を提
供する。
【０００８】
この構成において、例えば、複合機器では、モードが第１の電子機器側に設定されてお
り、リモコン装置では、モードが第２の電子機器側に設定されていたとする。複合機器に
おいては、所定時間おきに第１の電子機器モードを示すモード信号がモード信号出力手段
により出力され、モード信号送信手段により該モード信号がパルス信号に変換され、更に
該パルス信号がＦＭで変調されたＦＭモード信号として送信される。
【０００９】
リモコン装置では、複合機器からのＦＭモード信号がモード信号受信手段により受信さ
れて第１の電子機器モードを示すモード信号に変換され、モード切換手段により自体のモ
ードが第１の電子機器モードに切り換えられ、このとき報知音が報知手段により発生する
。これにより、リモコン装置は、モードが第２の電子機器側から第１の電子機器側に切り
換えられたことを知ることができ、リモコン装置は第１の電子機器を操作することが可能
になる。
【００１０】
この構成によれば、複合機器においてモード設定されている側の電子機器に対応し、該
複合機器から所定時間おきに送信されたモード信号を受信し、この受信したモード信号に
対応するモードにリモコン装置のモードを切り換えるようにしたので、ユーザがいちいち
リモコン装置のモード切換キーを押下しなくても、リモコン装置のモードが複合機器側の
現在のモードに自動的に切り換わり、これにより、リモコン装置は、複合機器においてモ
ード設定されている側の電子機器を操作することが可能になり、使い勝手が向上する。
【００１１】
また、リモコン装置のモードが複合機器側の現在のモードに切り換わったとき報知音が
発生するので、このリモコン装置のキーを押下すれば、複合機器において現在モード設定
されている側の電子機器を操作できることを知ることができる。また、ユーザがリモコン
装置を部屋のどこかに置いたままにして、リモコン装置を探すような場合、前記報知音が
発生するので、リモコン装置がどこにあるかを直ぐに発見することもできる。
【００１２】
請求項２の発明は、第１の電子機器と第２の電子機器が複合した複合機器に対して無線
信号で操作を行うことが可能なリモコン装置において、前記複合機器においてモード設定
されている側の電子機器に対応し、該複合機器から所定時間おきに送信されたモード信号
を受信し、この受信したモード信号に対応するモードに自体のモードを切り換えることを
特徴とするリモコン装置を提供する。
【００１３】
この構成において、例えば、複合機器では、モードが第１の電子機器側に設定されてお
り、リモコン装置では、モードが第２の電子機器側に設定されていたとする。複合機器に
おいては、所定時間おきに第１の電子機器モードを示すモード信号が送信される。リモコ
ン装置では、複合機器からのモード信号が受信され、自体のモードが第１の電子機器モー
ドに切り換えられる。これにより、リモコン装置は第１の電子機器を操作することが可能
になる。
【００１４】
この構成によれば、複合機器においてモード設定されている側の電子機器に対応し、該
複合機器から所定時間おきに送信されたモード信号を受信し、この受信したモード信号に
対応するモードにリモコン装置のモードを切り換えるようにしたので、ユーザがいちいち
リモコン装置のモード切換キーを押下しなくても、リモコン装置のモードが複合機器側の
現在のモードに自動的に切り換わり、これにより、リモコン装置は、複合機器においてモ
ード設定されている側の電子機器を操作することが可能になり、使い勝手が向上する。
【００１５】
請求項３の発明では、請求項２の発明において、所定時間おきにモード設定されている
側の電子機器のモード信号を出力するモード信号出力手段と、該モード信号出力手段から
のモード信号をパルス信号に変換し該パルス信号をＦＭで変調してＦＭモード信号として
送信するモード信号送信手段とを複合機器に設け、該複合機器からのＦＭモード信号を受
信してモード信号に変換するモード信号受信手段と、該モード信号受信手段からのモード
信号を入力して該モード信号が示すモードと同じモードに自体のモードを切り換えるモー
ド切換手段とをリモコン装置に設けたので、リモコン装置のモードを、複合機器において
モード設定されている側の電子機器に対応したモードに切り換えることができる。
【００１６】
請求項４の発明では、請求項３の発明において、前記モード切換手段によりモードが切
り換えられたとき報知する報知手段を備えたので、リモコン装置のキーを押下すれば、複
合機器において現在モード設定されている側の電子機器を操作できることが分かる。
【００１７】
請求項５の発明では、請求項４の発明において、前記報知手段は報知音を発生する手段
であるので、ユーザがリモコン装置を部屋のどこかに置いたままにして、リモコン装置を
探すような場合、前記報知音の発生により、リモコン装置がどこにあるかを直ぐに発見す
ることもできる。
【発明の効果】
【００１８】
以上のように本発明によれば、第１の電子機器と第２の電子機器が複合した複合機器に
対して無線信号で操作を行うことが可能なリモコン装置において、所定時間おきにモード
設定されている側の電子機器のモード信号を出力するモード信号出力手段と、該モード信
号出力手段からのモード信号をパルス信号に変換し該パルス信号をＦＭで変調してＦＭモ
ード信号として送信するモード信号送信手段とを前記複合機器に設け、該複合機器からの
ＦＭモード信号を受信してモード信号に変換するモード信号受信手段と、該モード信号受
信手段からのモード信号を入力して該モード信号が示すモードと同じモードに自体のモー
ドを切り換えるモード切換手段と、該モード切換手段によりモードが切り換えられたとき
報知音を発生する報知手段とを備えたので、複合機器においてモード設定されている側の
電子機器に対応し、該複合機器から所定時間おきに送信されたモード信号を受信し、この
受信したモード信号に対応するモードにリモコン装置のモードを切り換えることができ、
ユーザがいちいちリモコン装置のモード切換キーを押下しなくても、リモコン装置のモー
ドが複合機器側の現在のモードに自動的に切り換わり、これにより、リモコン装置は、複
合機器においてモード設定されている側の電子機器を操作することが可能になり、使い勝
手が向上する。
【００１９】
また、リモコン装置のモードが複合機器側の現在のモードに切り換わったとき報知音が
発生するので、このリモコン装置のキーを押下すれば、複合機器において現在モード設定
されている側の電子機器を操作できることを知ることができる。また、ユーザがリモコン
装置を部屋のどこかに置いたままにして、リモコン装置を探すような場合、前記報知音が
発生するので、リモコン装置がどこにあるかを直ぐに発見することもできる。
【００２０】
また、本発明によれば、第１の電子機器と第２の電子機器が複合した複合機器に対して
無線信号で操作を行うことが可能なリモコン装置において、前記複合機器においてモード
設定されている側の電子機器に対応し、該複合機器から所定時間おきに送信されたモード
信号を受信し、この受信したモード信号に対応するモードに自体のモードを切り換えるの
で、ユーザがいちいちリモコン装置のモード切換キーを押下しなくても、リモコン装置の
モードが複合機器側の現在のモードに自動的に切り換わり、これにより、リモコン装置は
、複合機器においてモード設定されている側の電子機器を操作することが可能になり、使
い勝手が向上する。
【発明を実施するための最良の形態】
【００２１】
以下、添付図面を参照しつつ、本発明の実施の形態について説明する。図１は本発明の
一実施形態に係るリモコン装置の構成を示すブロック図である。
【００２２】
図１において、複合機器１は、第１の電子機器としてのＤＶＤレコーダ１Ａと第２の電
子機器としてのＶＣＲ１Ｂとを複合した機器である。複合機器１は、機器内の各構成要素
に電力を供給する電源２と、所定時間おきにモード設定されている側の電子機器のモード
信号を出力するモード信号出力手段を含むと共に機器全体を制御するマイコン（マイクロ
コンピュータ）５と、このマイコン５からのモード信号をパルス信号に変換し該パルス信
号をＦＭで変調してＦＭモード信号として送信するモード信号送信手段としてのロケータ
ー送信回路３およびロケーター信号送信部４と、リモコン装置７からのキーコードを示す
赤外線信号を受信して操作信号としてマイコン５に入力する受信回路６とを備えている。
また、マイコン５には、所定時間おきにモード信号を出力できるように時間カウント手段
が備えられている。
【００２３】
リモコン装置７は、装置内の各構成要素に電力を供給する電源８と、複合機器１からの
ＦＭモード信号を受信してモード信号に変換するモード信号受信手段としてのロケーター
信号受信部１０およびロケーター受信回路９と、このロケーター受信回路９からのモード
信号を入力して該モード信号が示すモードと同じモードに自体のモードを切り換えるモー
ド切換手段を含むと共に装置全体を制御するマイコン１１と、該モード切換手段によりモ
ードが切り換えられたとき報知音を発生する報知手段してのブザー回路１２と、マイコン
１１からのキー操作信号を入力して赤外線信号として送信するリモコン送信回路１３とを
備えている。また、マイコン１１には、図示しない操作部のキーに対応したキーマトリク
ス回路と、複合機器１から送信されてきたモード信号が示すモードとリモコン装置７のモ
ードとが一致するか否かを判別する判別ポートとが備えられている。
【００２４】
図２は本実施形態においてリモコン装置７のモードが切り換えられる処理を説明するた
めのフローチャートである。このフローチャートを参照してリモコン装置７のモードが切
り換えられる処理を説明する。
【００２５】
例えば、複合機器１では、モードがＶＣＲ１Ｂ側に設定されており、リモコン装置７で
は、モードがＤＶＤレコーダ１Ａ側に設定されていたとする。この場合、両モードはＶＣ
Ｒモードではなく（ステップＳ１）、複合機器１はＶＣＲモードであり、リモコン装置７
はＤＶＤモードであるので（ステップＳ２）、複合機器１からＶＣＲモード信号を送信す
る（ステップＳ３）。
【００２６】
即ち、複合機器１において、マイコン５は、ＶＣＲモードを示す例えばＨレベル信号を
所定時間（例えば３０分、１時間、２時間）おきに出力し、このＨレベル信号を入力した
ロケーター送信回路３は、Ｈレベル信号をパルス信号に変換し、ロケーター信号送信部４
に出力する。ロケーター信号送信部４では、パルス信号をＦＭで変調し、ＦＭモード信号
としてリモコン装置７に送信する（ステップＳ３）。
【００２７】
これにより、リモコン装置７はＶＣＲモードを意味するＦＭモード信号を受信する（ス
テップＳ４）。即ち、リモコン装置７においては、ロケーター信号受信部１０は、ロケー
ター信号送信部４からのＦＭモード信号を受信して増幅し、ロケーター受信回路９は、前
記増幅されたＦＭモード信号からパルス信号を取り出し、更に、パルス信号をＨレベル信
号またはＬレベル信号に変換するが、この場合のＦＭモード信号はＶＣＲモードを示す信
号であるので、前記パルス信号はＨレベル信号に変換されることになる。
【００２８】
ここで、リモコン装置７で現在設定されているリモコンモードはＤＶＤモードであり、
このＤＶＤモードを示す信号がＬレベル信号であるので、マイコン１１では、ロケーター
受信回路９から出力されたＶＣＲモードを示すＨレベル信号と、ＤＶＤモードを示すＬレ
ベル信号とを、判別ポートにより比較するが、両信号は一致しないので、リモコンモード
をＶＣＲモードに切り換える。リモコンモードがＶＣＲモードに切り換ったとき（ステッ
プＳ５）、マイコン１１はブザー回路１２を駆動させてブザー音を例えば数秒間鳴らす（
ステップＳ６）。これにより、リモコン装置７は、モードがＤＶＤモードからＶＣＲモー
ドに切り換えられたことを知ることができ、リモコン装置７は複合機器１のＶＣＲ１Ｂを
操作することが可能になる。
【００２９】
また、複合機器１では、モードがＤＶＤレコーダ１Ａ側に設定されており、リモコン装
置７では、モードがＶＣＲ１Ｂ側に設定されていたとする。この場合、両モードはＶＣＲ
モードではなく（ステップＳ１）、複合機器１はＶＣＲモードではなく、リモコン装置７
はＤＶＤモードではなく（ステップＳ２）、更に、複合機器１はＤＶＤモードであり、リ
モコン装置７はＶＣＲモードであるので（ステップＳ７）、複合機器１からＤＶＤモード
信号を送信する（ステップＳ８）。
【００３０】
即ち、複合機器１において、マイコン５は、ＤＶＤモードを示すＬレベル信号を所定時
間（例えば３０分、１時間、２時間）おきに出力し、このＬレベル信号を入力したロケー
ター送信回路３は、Ｌレベル信号をパルス信号に変換し、ロケーター信号送信部４に出力
する。ロケーター信号送信部４では、パルス信号をＦＭで変調し、ＦＭモード信号として
リモコン装置７に送信する（ステップＳ８）。
【００３１】
これにより、リモコン装置７はＤＶＤモード信号を意味するＦＭモード信号を受信する
（ステップＳ９）。即ち、リモコン装置７においては、ロケーター信号受信部１０は、ロ
ケーター信号送信部４からのＦＭモード信号を受信して増幅し、ロケーター受信回路９は
、前記増幅されたＦＭモード信号からパルス信号を取り出し、更に、パルス信号をＨレベ
ル信号またはＬレベル信号に変換するが、この場合のＦＭモード信号はＤＶＤモードを示
す信号であるので、前記パルス信号はＬレベル信号に変換されることになる。
【００３２】
ここで、リモコン装置７で現在設定されているリモコンモードはＶＣＲモードであり、
このＶＣＲモードを示す信号がＨレベル信号であるので、マイコン１１では、ロケーター
受信回路９から出力されたＤＶＤモードを示すＬレベル信号と、ＶＣＲモードを示すＨレ
ベル信号とを、判別ポートにより比較するが、両信号は一致しないので、リモコンモード
をＤＶＤモードに切り換える。リモコンモードがＤＶＤモードに切り換ったとき（ステッ
プＳ１０）、マイコン１１はブザー回路１２を駆動させてブザー音を例えば数秒間鳴らす
（ステップＳ１１）。これにより、リモコン装置７は、モードがＶＣＲモードからＤＶＤ
モードに切り換えられたことを知ることができ、リモコン装置７は複合機器１のＤＶＤレ
コーダ１Ａを操作することが可能になる。
【００３３】
なお、複合機器１のモードがＶＣＲモードで、リモコン装置７のモードもＶＣＲモード
で同じ場合は（ステップＳ１）、あるいは複合機器１のモードがＤＶＤモードで、リモコ
ン装置７のモードもＤＶＤモードで同じ場合は（ステップＳ１２）、本処理は実行されな
いが、複合機器１からは現在設定されているモードを示すモード信号が所定時間おきに送
信される。そして、リモコン装置７側のモードと複合機器１側のモードとが同じ場合は、
ブザー回路１２によるブザー音は鳴らないが、リモコン装置７側のモードが複合機器１側
のモードと異なる場合は、複合機器１側のモードになるようにリモコン装置７側のモード
が切り換えられ、このときブザー音は鳴ることになる。
【００３４】
このように本実施形態によれば、複合機器１においてモード設定されている側の電子機
器（ＤＶＤレコーダ１ＡまたはＶＣＲ１Ｂ）に対応し、複合機器１から所定時間おきに送
信されたモード信号を受信し、この受信したモード信号に対応するモードにリモコン装置
７のモードを切り換えるようにしたので、ユーザがいちいちリモコン装置のモード切換キ
ーを押下しなくても、リモコン装置７のモードが複合機器１側の現在のモードに自動的に
切り換わり、これにより、リモコン装置７は、複合機器１においてモード設定されている
側の電子機器を操作することが可能になり、使い勝手が向上する。
【００３５】
また、リモコン装置７のモードが複合機器１側の現在のモードに切り換わったとき報知
音が発生するので、このリモコン装置７のキーを押下すれば、複合機器１において現在モ
ード設定されている側の電子機器を操作できることを知ることができる。また、ユーザが
リモコン装置７を部屋のどこかに置いたままにして、リモコン装置７を探すような場合、
前記報知音が発生するので、リモコン装置７がどこにあるかを直ぐに発見することもでき
る。
【００３６】
なお、上記実施形態では、ＤＶＤレコーダとＶＣＲとの組み合わせの複合機器について
説明したが、これに限らず、ＤＶＤレコーダとハードディスクレコーダとの組み合わせ、
ＤＶＤレコーダとテレビジョン受信機との組み合わせ、あるいはＶＣＲとテレビジョン受
信機との組み合わせ、その他電子機器の組み合わせの複合機器であっても良い。また、リ
モコン装置のモードが複合機器側の現在のモードに切り換わったとき、報知音が鳴るよう
にしたが、これに限らず、報知音に代わり、発光素子などによる発光により報知を行って
も良い。
【図面の簡単な説明】
【００３７】
【図１】本発明の一実施形態に係るリモコン装置の構成を示すブロック図である。
【図２】前記実施形態においてリモコン装置のモードが切り換えられる処理を説明するためのフローチャートである。
【符号の説明】
【００３８】
１    複合機器
１Ａ    ＤＶＤレコーダ（第１の電子機器）
１Ｂ    ＶＣＲ（第２の電子機器）
３    ロケーター送信回路（モード信号送信手段）
４    ロケーター信号送信部（モード信号送信手段）
５    マイコン（モード信号出力手段）
７    リモコン装置
９    ロケーター受信回路（モード信号受信手段）
１０    ロケーター信号受信部（モード信号受信手段）
１１    マイコン（モード切換手段）
１２    ブザー回路（報知手段）
【図１】
2005328174.tif 000003
【図２】
2005328174.tif 000004